(57)【要約】【課題】作業進捗と作業効率の同一画面上表示により、相関を視覚的に把握することができる作業状況可視化システムに関する。【解決手段】作業の工期、作業量、工数などについての計画値を有する計画データベースと、作業開始後の特定日における前記作業の工期、作業量、工数などについての実績値を有する実績データベースと、計画データベースおよび実績データベースからのデータを得て計画値に対する実績値の状況を演算する計算機と、演算結果をモニタ画面上に表示する表示制御装置とを備えた作業状況可視化システムであって、モニタ画面上に計画段階での作業の工期と作業量もしくは工数と、実績・予測段階での前記作業の工期と作業量もしくは工数が表示されて、作業効率と作業進捗の状況が同一画面上で目視可能とされていることを特徴とする。【選択図】図１
2015095203.tif 000002
【特許請求の範囲】
【請求項１】
作業の工期、作業量、工数などについての計画値を有する計画データベースと、作業開始後の特定日における前記作業の工期、作業量、工数などについての実績値を有する実績データベースと、前記計画データベースおよび実績データベースからのデータを得て計画値に対する実績値の状況を演算する計算機と、演算結果をモニタ画面上に表示する表示制御装置とを備えた作業状況可視化システムであって、
前記モニタ画面上に計画段階での前記作業の工期と作業量もしくは工数と、実績・予測段階での前記作業の工期と作業量もしくは工数が表示されて、作業効率と作業進捗の状況が同一画面上で目視可能とされていることを特徴とする作業状況可視化システム。
【請求項２】
請求項1に記載の作業状況可視化システムであって、
前記表示制御装置は、前記モニタ画面の縦横の一方軸上に前記工期をとって、その最大値を計画工期とし、前記モニタ画面の縦横の他方軸上に前記作業量もしくは工数をとって、その最大値を計画作業量もしくは計画工数とするとともに、縦横画面の対角線と、該対角線と当該作業日の交点である計画予定点ＰＰと、前記実績データベースから求めた実績点とを重ね合せて表示していることを特徴とする作業状況可視化システム。
【請求項３】
請求項２に記載の作業状況可視化システムであって、
縦横の前記モニタ画面の原点と前記実績点を結ぶ線が、当該作業日以後の作業日に及んで延伸して表示されていることを特徴とする作業状況可視化システム。
【請求項４】
請求項２または請求項３に記載の作業状況可視化システムであって、
縦横の前記モニタ画面の領域が、前記対角線と前記当該作業日の線分で仕切られて形成する各小領域について、この小領域に含まれた前記の実績点の意味する作業状況が解説表示されていることを特徴とする作業状況可視化システム。
【請求項５】
請求項1に記載の作業状況可視化システムであって、
前記表示制御装置は、前記モニタ画面を左右または上下に分割し、分割した一方に計画段階での前記工期に対する前記作業量もしくは工数をとって表示し、分割した他方に実績または予測段階での前記工期に対する前記作業量もしくは工数をとって表示していることを特徴とする作業状況可視化システム。
【発明の詳細な説明】
【技術分野】
【０００１】
本発明は、プラント建設作業などにおいて、作業進捗と作業効率を視覚的に作成することができる作業状況可視化システムに関する。
【背景技術】
【０００２】
プラント建設作業などにおいて、その作業進捗などを可視化して表示する作業状況可視化システムとして、種々のものが知られている。例えば特許文献１には、作業委託者と作業請負者の間をネットワークで接続して作業委託者に作業の進捗状況を可視化して把握できる手段が提案されている。
【先行技術文献】
【特許文献】
【０００３】
【特許文献１】特開２００４−１５７８３７号公報
【発明の概要】
【発明が解決しようとする課題】
【０００４】
特許文献１では、作業の進捗状況が可視化して得られるという効果があるが、反面この特許文献１では作業効率を可視化して提供するという考え方が存在しない。
【０００５】
作業請負の管理者あるいは作業委託者の立場からは、現時点の作業進捗が可視化されていることは勿論、今後の作業進捗を推し量るうえでは各作業の作業効率を含めて把握しておくことが管理上不可欠である。
【０００６】
他方、作業効率についてみると、これを把握するいくつかの手法が既に知られており、またその結果を可視化して提供することも知られている。
【０００７】
然しながら、作業請負の管理者あるいは作業委託者はこれらの提供情報を別々に表示された別々の情報として把握しており、互いの関係が一覧して可視化表示されているものではなかった。必要に応じて作業進捗の画面と作業効率の画面を閲覧し、その関連については本人の頭の中で整理して把握する必要があった。
【０００８】
以上のことから本発明においては、作業進捗と作業効率の同一画面上表示により、相関を視覚的に把握することができる作業状況可視化システムに関する。
【課題を解決するための手段】
【０００９】
以上のことから本発明においては、作業の工期、作業量、工数などについての計画値を有する計画データベースと、作業開始後の特定日における前記作業の工期、作業量、工数などについての実績値を有する実績データベースと、計画データベースおよび実績データベースからのデータを得て計画値に対する実績値の状況を演算する計算機と、演算結果をモニタ画面上に表示する表示制御装置とを備えた作業状況可視化システムであって、モニタ画面上に計画段階での作業の工期と作業量もしくは工数と、実績・予測段階での前記作業の工期と作業量もしくは工数が表示されて、作業効率と作業進捗の状況が同一画面上で目視可能とされていることを特徴とする。
特徴とする。
【発明の効果】
【００１０】
作業進捗と作業効率の同一画面上表示により、相関を視覚的に把握することができる。
【図面の簡単な説明】
【００１１】
【図１】本発明に係る作業状況可視化システムの全体構成を示す図。
【図２】基本データと実績データの一例を模式的に表示した図。
【図３】作業グループＡを例にとって、基本データと実績データの内容を一覧して表記した図。
【図４】具体的な計画データベース内の基本データとして、初期計画時の内容を示した図。
【図５】作業開始後３日目における基本データと実績データの内容を一覧して表記した図。
【図６】表示モニタへの表示形式の一例を示す図。
【図７】表示モニタへの表示形式の一例を示す図。
【図８】表示モニタへの表示形式の一例を示す図。
【図９】３日目実績から４日目の状況の予測数値を演算した結果を示す図。
【図１０】表示モニタへの表示形式の一例を示す図。
【図１１】本発明における一連の処理手順を纏めたフローチャート。
【発明を実施するための形態】
【００１２】
以下本発明の実施形態について説明する。
【実施例】
【００１３】
図１は本発明に係る作業状況可視化システムの全体構成を示している。作業状況可視化システムは、実績データベースＤＢＲ，計画データベースＤＢＰ，実績計算機ＣＰＵＲ，予測計算機ＣＰＵＰ、表示制御装置ＭＣ，モニタ画面Ｍから構成されている。
【００１４】
このうち実績データベースＤＢＲは、建設作業における作業の実績を示す実績データを管理するデータベースである。実績データＤＲは、ユーザが日単位、週単位、月単位で作業グループ毎に工期、作業量（物量）、工数等を入力する。
【００１５】
計画データベースＤＢＰは、建設作業における平均的な基本データを管理するデータベースである。平均的な基本データＤＰは、実績データの平均値より算出されており、作業グループ毎の工期、作業量（物量）、作業効率等から構成されている。計画データベースＤＢＰの基本データＤＰは、類似過去作業をもとに工程管理者が作成し、あらかじめ計画データベースＤＢＰ内に格納されている。
【００１６】
図２は、基本データＤＰと実績データＤＲの一例を模式的に表示した図である。図２もまた本発明の作業状況可視化システムにより、そのモニタ画面上に作業進捗と作業効率を同一画面上表示したものであり、相関を視覚的に把握することができるものであるが、ここでは基本データＤＰと実績データＤＲの一例を理解しやすく紹介するために使用している。
【００１７】
図２の上部には基本データＤＰの例を、下部には実績データＤＲの例を示している。但し、ここでは横軸に工期をとり、縦軸に作業量として人員、工数として作業グループ毎の作業期間を表示している。
【００１８】
これによれば、基本データＤＰの計画では作業グループＧｒＡがそれぞれ短工期での日数Ｄ１，Ｄ２，Ｄ３ごとに別作業を行い、その後作業グループＧｒＣが短工期での日数Ｄ４での作業を行う。また短工期での日数Ｄ２，Ｄ３の期間内に別の作業グループＧｒＣが短工期での日数Ｄ５で別作業を並行して行うことになる。この計画での総日数はＤである。なお、作業量についてみると各短工期における例えば作業グループの投入予定人員が記載されている。
【００１９】
これに対し、作業完了後の実績データＤＲを示す下部の表示内容によれば、詳細説明を省略するが作業グループＧｒＡが予定工期よりも大幅に短縮して作業完了し、作業グループＧｒＢが予定工期よりも大幅に遅延して作業完了し、作業グループＧｒＣがほぼ予定工期通りに作業完了したこと、および全体としては早く完成したことが見て取れる。
【００２０】
係る計画と実績の関係について、作業完了後は勿論、作業進行中の各過程において作業進捗と作業効率の関係を一目瞭然に把握していくのが本発明の目的である。
【００２１】
実績データベースＤＢＲ内の実績データＤＲと、計画データベースＤＢＰ内の基本データＤＰは、図２の関係を作業グループＧｒごとに保持している。図３は、作業グループＡを例にとって、基本データＤＰと実績データＤＲの内容を一覧して表記した図である。ただし、ここでは具体数値ではなく、記憶情報の種別で表記している。
【００２２】
図３では、各データベースの内容を、入力項目の区別（丸を付したものが入力データ）、当該項目の表示器号、名称により区別して記憶している。また記憶項目としては、工期（日）、作業量（トン）、工数以外に、本発明での利用のために作業効率として工数に対する作業量の比、進捗状況として日のデータを計算して記憶している。なお図３では表示器号を基本データＤＰでは、ａ１、ｂ１、ｃ１，ｄ１，ｅ１で表示し、実績データＤＲでは、ａ２、ｂ２、ｃ２，ｄ２，ｅ２で表示している。入力から演算にて求めるＣ１，ｄ２，ｅ２の演算式は表に示したとおりである。
【００２３】
なお同一の項目であっても各データベースで名称が相違することがある。例えば、期間に関連して基本データＤＰでは計画期間と称するのに対し、実績データＤＲでは作業期間として把握されている。同様に作業量に関連して基本データＤＰでは計画作業量と称するのに対し、実績データＤＲでは実績作業量として把握され、工数に関連して基本データＤＰでは計画工数と称するのに対し、実績データＤＲでは消費工数として把握され、作業効率に関連して基本データＤＰでは計画作業量と称するのに対し、実績データＤＲでは実績作業率として把握され、進捗に関連して基本データＤＰでは計画進捗と称するのに対し、実績データＤＲでは実績進捗率として把握されている。
【００２４】
図３では記憶するデータ種別を定義しているが、図４には具体的な計画データベースＤＢＰ内の基本データＤＰとして、初期計画時の内容を示している。初期計画での工期（日）は５日、作業量（トン）は１０トン、工数は２０工数、作業効率は０．５を予定している。
【００２５】
図４の初期計画では、作業グループＧｒＡの工期は５日であった。この計画に対し、作業開始後の例えば３日目における基本データＤＰと実績データＤＲの内容を一覧して表記した図が図５である。図５によれば、基本データＤＰと実績データＤＲの内容は、進捗を反映した数値に置き換えられている。例えば、３日目の基本データＤＰの工期（日）、作業量（トン）、工数は、初期計画に３（日）／５（日）を乗じた値として把握され、上から３日、６トン、１２工数、効率０．５、進捗は３日目を示す３が記憶されている。
【００２６】
これに対する実績データＤＲの内容は、上から３日、７トン、１８工数、効率０．３９、進捗３．５日となっており、作業グループＧｒＡの工期は早めに進行し、予定の３日に対し、３．５日を消化していることを示している。
【００２７】
実績計算機ＣＰＵＲは、単純に作業グループ毎の実績データと計画データを比較し、現時点での作業進捗状況（作業量・工数・作業効率）を算出するものである。図５に示す現在時点での進捗状況は、実績計算機ＣＰＵＲにより演算された結果の一例を示している。実績計算機ＣＰＵＲは、初期計画（５日）に対して当日が何日目（３日目）にあたるかを計算し、比例的に３／５を乗じて計画値を修正し、かつ実際の入力と比較したものである。
【００２８】
図１の表示制御装置ＭＣは、図５に示す現時点までの情報を実績計算機ＣＰＵＲから得て、表示モニタＭに図６の形式で表示する。図６の表示では横軸に期間、縦軸に工数を表示する。特に現時点での実績表示では横軸の期間の最長期間は初期計画期間の５日である。これに対し縦軸の工数の最大数は初期計画工数の２０工数である。つまり、縦横が５×２０の画面を最大画面として、ここに現在の期間と工数の位置を表示している。この縦横表示によれば、計画では対角線Ｌ１の位置が標準位置である。３日目では、計画工数は１２であるので図示のＰＰが計画予定点である。
【００２９】
これに対し、図５の実績進捗率は３．５であり、かつ実績工数は１８に至っている。この実績点を表示モニタＭにさらに表示したのが実績点ＰＲである。実績計算機ＣＰＵＲで求めた図５の３日目の実績データと３日目の計画データを図６のように縦横表記したときの見方が図７と図８に示されている。
【００３０】
図７は、作業進捗と作業効率を一覧表記した図６の表示の理解の仕方のその１である。ここでは、対角線Ｌ１と当日位置（３日目）を示す縦軸である直線Ｌ２との交点ＰＰを基準にして、２つの線Ｌ１、Ｌ２で区分された４象限Ｚ１，Ｚ２，Ｚ３，Ｚ４を想定する。右上の象限Ｚ１は、作業進捗は良いが作業効率が悪いことを意味し、右下の象限Ｚ２は、作業進捗、作業効率ともに良いことを意味し、左下の象限Ｚ３は、作業進捗は悪いが作業効率が良いことを意味し、左上の象限Ｚ４は、作業進捗、作業効率ともに悪いことを意味している。
【００３１】
図８は、作業進捗と作業効率を一覧表記した図６の表示の理解の仕方のその２である。ここでは、四角の表示画面上に直線Ｌ１，Ｌ２、計画予定点ＰＰ，実績点ＰＲを示しているが、さらに実績点ＰＲと原点を結ぶ直線Ｌ３を想定して表示している。直線Ｌ２（当日位置）上の計画予定点ＰＰと、直線Ｌ３と直線Ｌ１の交点の上下関係を評価すると、これは計画作業効率に対する実績作業効率が表示されたことになる。
【００３２】
図１の表示制御装置ＭＣでは、実績計算機ＣＰＵＲからの情報（例えば図５の途中経過情報）を用いて、図６、図７、あるいは図８の形式にて表示モニタ上に画面表示する。図６は現在状態を示すのみであるが、図７はさらに評価情報を付与して画面構成している。図７では作業効率といった別観点からの視認がしやすい形にして表示したものである。なおいずれの表示の場合であっても作業進捗と作業効率を視覚的に同一画面上で視認可能としている。
【００３３】
このように実績計算機ＣＰＵＲは計画の途中段階の状態を確認するのに適しているが、これに対し予測計算機ＣＰＵＰは、計画の途中段階で今後の完了時期を推定表示するのに適している。予測計算機ＣＰＵＲは、作業グループ毎の最新実績データを元に、最終的な作業進捗状況（工期・仕上り工数）を算出するものである。例えば、作業グループＡの最新実績作業効率ｄ２＝１１ｔｏｎ／工であれば、次回以降の作業グループＡの計画作業効率ｄ１＝１１ｔｏｎ／工にし、バーチャート（工期）と人員山積み（仕上り工数）を見直し、予測することができる。
【００３４】
図９は、実績データベースＤＢＲ内の３日目実績から、予測計算機ＣＰＵＰにより４日目の状況の予測数値を演算した結果を示している。期間は４日、作業量は９．３、工数は２０に到達といった数値を求めている。この演算は例えば線形外挿により比例的に求めればよい。計算上工数は２０以上になるが、図９の表記例では２０としている。なお横軸の進捗は上限が５である。
【００３５】
図９の計算は、図１０に示すように実績点ＰＲと原点を結ぶ直線Ｌ３を３日目以降についても延長して求めたものである。予測計算機ＣＰＵＰによる予測結果も、図６，７，８と同じような、縦横項目の画面上に表示することで作業進捗と作業効率を視覚的に同一画面上で視認可能としている。
【００３６】
先に説明した図２もまた、本発明により作業進捗と作業効率を同一画面上表示したものであり、相関を視覚的に把握することができるものである。ここでは横軸に工期をとって、計画段階と実績・予測段階の工数と作業量を比較表示している。両者の比較表示形式により作業進捗と作業効率を同一画面上で目視かのうである。
【００３７】
図１１は、本発明における一連の処理手順を纏めたフローチャートである。この処理では、処理ステップＳ１において、基本データＤＰが計画データベースＤＢＰ内に格納されていることを確認する。この初期計画内容が図４に示されている。処理ステップＳ２では、逐次実績データＤＲが実績データベースＤＢＲ内に格納されている。この入力は設備完成まで、日、週、月などのタイミングで適宜繰り返し実行されている。
【００３８】
これに対し、適宜の時点で表示要求が与えられる。表示要求には現状についての表示要求と将来予測の表示要求がある。処理ステップＳ３では、表示要求を判別し、前者の場合処理ステップＳ４に移り実績計算機ＣＰＵＲを駆動して、当該日（例えば計画５日に対して３日目）の状況を入手する。この時に得られる進捗などの情報が図５の情報である。この情報は、基本データＤＰと実績データＤＲから求められる。
【００３９】
処理ステップＳ５では、表示制御装置ＭＣにおいて、指示された表示形式を判別して図６、図７、図８などの表示形式に変換してモニタ画面Ｍに適宜のスタイルでの表示を行う。
【００４０】
また処理ステップＳ３において後者を選択した場合処理ステップＳ６に移り計画計算機ＣＰＵＰを駆動して、当該日以降（例えば計画５日に対して当該日が３日目であれば４日目の）の状況を予測計算により入手する。この時に得られる進捗などの情報が図９の情報である。この情報は、実績データＤＲの外挿により求められる。
【００４１】
処理ステップＳ７では、表示制御装置ＭＣにおいて、指示された表示形式を判別して図１０などの表示形式に変換してモニタ画面Ｍに適宜のスタイルでの表示を行う。
【００４２】
なお本発明では、作業進捗と作業効率を視覚的に同一画面上で視認可能とするものであるため、図６、図７、図８などの表示形式での表示事例を主体に説明したが、図２のような形式での表示とすることも可能である。
【００４３】
また図6などの表示事例では、特定の作業グループの作業の進捗と作業効率を視覚的に同一画面上で視認する例で説明したが、これは図２の複数グループに対する当該日の評価の形として纏めて表示することであってもよい。
【００４４】
なお作業進捗と作業効率を同一チャートにて表現するだけでなく、各作業アイテムにＧｒ．情報を与え、現状の進捗効率から作業終了の工期・消費工数を予測できる。
【００４５】
また実施例では表示画面の縦横の関係について横軸に工期、縦軸に実績としての工数を採用したものを表示したが、これは縦横関係が逆であってもよい。横軸に実績としての工数、縦軸に工期を採用したものであってもよい。さらに、縦軸の実績には工数で評価したものを表示したが、これは作業量であってもよい。実績としての作業量、工数のいずれかを採用すればよい。あるいは実績を作業量と工数の積で評価した値を用いてもよい。
【００４６】
要するに縦横軸で形成される画面の一方軸に工期、他方に実績が表示されていればよい。
【符号の説明】
【００４７】
ＤＢＲ：実績データベース
ＤＢＰ：計画データベース
ＣＰＵＲ：実績計算機
ＣＰＵＰ：予測計算機
ＭＣ：表示制御装置
Ｍ：モニタ画面
ＤＲ：実績データ
ＤＰ：基本データ
【図１】
2015095203.tif 000003
【図２】
2015095203.tif 000004
【図３】
2015095203.tif 000005
【図４】
2015095203.tif 000006
【図５】
2015095203.tif 000007
【図６】
2015095203.tif 000008
【図７】
2015095203.tif 000009
【図８】
2015095203.tif 000010
【図９】
2015095203.tif 000011
【図１０】
2015095203.tif 000012
【図１１】
2015095203.tif 000013